(57)【要約】      （修正有）【課題】予期せぬ外力が遮蔽板に作用したとしても、その外力による作用を緩和できる遮蔽板の取付構造、並びに、遊技機島を提供する。【解決手段】遊技機島には、複数の遊技機３１が並設されており、隣接する遊技機３１同士の間に遮蔽板２が設置されている。遮蔽板２は、固定手段と弾性部材を有した保持手段を介して、遊技機島の台間板に取り付けられている。固定手段は、台間板に固定され、保持手段は、その弾性部材を介して遮蔽板２に取り付けられる。そして、保持手段が取り付けられた遮蔽板２を、前記保持手段を介して、固定手段に固定している。【選択図】図１
2014204893.tif 000002
【特許請求の範囲】
【請求項１】
複数の遊技機が並設してなる遊技機島に設けられ、隣接する遊技機同士の間に配される遮蔽板の取付構造であって、
固定手段と保持手段を有し、
固定手段は、遊技機島に固定され、
保持手段は、遮蔽板を保持しつつ、固定手段と連結可能なものであり、
遮蔽板を保持した保持手段を、遊技機島に固定した固定手段に連結すると、遮蔽板は、遊技機島に対して、遊技機の並設方向に揺動可能に固定されることを特徴とする遮蔽板の取付構造。
【請求項２】
遊技機島は、島構造を構成する部材を有し、当該部材には、遊技機島の外壁面を形成する壁面形成部材があり、
固定手段は、隣接する遊技機同士の間の壁面形成部材に固定されることを特徴とする請求項１に記載の遮蔽板の取付構造。
【請求項３】
遊技機島は、島構造を構成する部材を有し、当該部材には、遊技機島の外壁面を形成する壁面形成部材があり、
固定手段は、隣接する遊技機同士の間の壁面形成部材であって、少なくとも遊技機の設置高さよりも高い位置と、低い位置の双方に固定されることを特徴とする請求項１に記載の遮蔽板の取付構造。
【請求項４】
保持手段は、一定の弾性力を有した弾性部材を備え、
遮蔽板は、弾性部材に挟持されていることを特徴とする請求項１〜３のいずれかに記載の遮蔽板の取付構造。
【請求項５】
保持手段は、軸部材を有し、
遮蔽板は、軸部材に軸支されていることを特徴とする請求項１〜３のいずれかに記載の遮蔽板の取付構造。
【請求項６】
並設された複数の遊技機と、請求項１〜５のいずれかに記載された遮蔽板の取付構造を用いて設置された遮蔽板を備えたことを特徴とする遊技機島。
【発明の詳細な説明】
【技術分野】
【０００１】
本発明は、遊技場において並設された遊技機同士の間に設けられる遮蔽板の取付構造、並びに、遊技機島に関するものである。
【背景技術】
【０００２】
ぱちんこ機やスロット機等の遊技機を遊技できる遊技場は、遊技機の稼働台数を増加させるべく、できるだけ多くの遊技機を設置できるレイアウトがとられている。すなわち、遊技場は、複数の遊技機が群をなした遊技機群（所謂遊技機島）を備え、その遊技機島が複数設置された構成とされている。また、各遊技機島では、複数の遊技機が並列状に並べられており、それらの間隔は極めて狭く設定されている。
【０００３】
そのため、特に、同一の遊技機島において、遊技者が隣り合う関係で遊技を行う場合においては、その遊技者同士が互いに近接した状態となり、一方の遊技者の行為が、他方の遊技者に不快感を及ぼしてしまうおそれがあった。その１つの例として、遊技者の喫煙行為が挙げられる。すなわち、隣接する遊技者のうちの一方の遊技者が煙草を喫煙すれば、その煙草から発せられる煙が、隣接する他方の遊技者に向けて流れ、その遊技者に対して不快感を抱かせてしまう場合があった。
【０００４】
このような事情により、近年、遊技場では、並設された遊技機同士の間（以下、台間という）に、吹き出しエアーによって煙草の煙等を遮断可能（エアーカーテン機能）な装置（例えば特許文献１）や、物理的な壁を用いて煙草の煙等を遮断可能な分煙ボード（例えば特許文献２）等が設けられている。最近においては、省エネルギーの観点から、分煙ボードを設置する遊技場が増加傾向にある。
【先行技術文献】
【特許文献】
【０００５】
【特許文献１】特開平１０−１１８３２７号公報
【特許文献２】特開２０１２−１１１４０号公報
【発明の概要】
【発明が解決しようとする課題】
【０００６】
ところが、この種の分煙ボードは、遊技者等が移動する際や、作業者等がメンテナンス等の作業を行う場合に、遮蔽板（ボード）に衝突する可能性が高く、それによって破損等してしまうおそれがあった。
【０００７】
より詳細に言うと、遊技機島に取り付けられた分煙ボードは、隣接する遊技機間に漂い得る煙草の煙等を遮蔽するという機能上、通常、ボードの平面が、遊技機間に向けられた姿勢で設置されている。そして、前記姿勢を維持させるべく、ボードの基端部を、強固に保持させている。すなわち、この種の分煙ボードは、ボードの平面が遊技者等から外力を受け易い姿勢である上、遊技機の並設方向に外力が加わったとしても、それを逃がそうとする機能は持ち合わせていない。つまり、従来の分煙ボードは、ボードに予期せぬ外力が作用した場合に、当該ボードの基端部にその力が集中し易く、破損等を生じ易い構造であった。そのため、市場においては、ボードの取付構造に関して改善が望まれていた。
【０００８】
そこで、本発明では、従来技術の問題点に鑑み、予期せぬ外力が遮蔽板に作用したとしても、その外力による作用を緩和できる遮蔽板の取付構造、並びに、遊技機島を提供することを課題とする。
【課題を解決するための手段】
【０００９】
上記課題を解決するべく請求項１に記載の発明は、複数の遊技機が並設してなる遊技機島に設けられ、隣接する遊技機同士の間に配される遮蔽板の取付構造であって、固定手段と保持手段を有し、固定手段は、遊技機島に固定され、保持手段は、遮蔽板を保持しつつ、固定手段と連結可能なものであり、遮蔽板を保持した保持手段を、遊技機島に固定した固定手段に連結すると、遮蔽板は、遊技機島に対して、遊技機の並設方向に揺動可能に固定されることを特徴とする遮蔽板の取付構造である。
【００１０】
本発明の遮蔽板の取付構造は、遊技機島に固定される固定手段に対して、保持手段を連結することが可能であり、当該保持手段を介して、遮蔽板を、固定手段に対して取り付け可能にしたものである。そして、本発明では、遊技機島に固定した固定手段に、遮蔽板に取り付けた保持手段を介して固定することで、遊技機の並設方向に揺動可能（揺動機能）に固定される。すなわち、本発明の遮蔽板の取付構造は、遮蔽板に対して、不意に遊技機の並設方向の外力が作用することがあっても、その外力を逃がす方向に揺動するため、遮蔽板の基端部に掛かる負担を軽減することができる。これにより、遊技者等が移動する際や、作業者等がメンテナンス等の作業を行う場合に、遮蔽板に衝突等することがあったとしても、本発明の揺動機能によって、その衝突等によって生じる外力を緩和できるため、当該遮蔽板の基端側が破損等を生じてしまうことはほぼない。
【００１１】
請求項２に記載の発明は、遊技機島は、島構造を構成する部材を有し、当該部材には、遊技機島の外壁面を形成する壁面形成部材があり、固定手段は、隣接する遊技機同士の間の壁面形成部材に固定されることを特徴とする請求項１に記載の遮蔽板の取付構造である。
【００１２】
かかる構成によれば、固定手段は、隣接する遊技機同士の間の島の構成部材たる壁面形成部材に固定されるため、既存の遊技機島であっても、容易に遮蔽板を取り付けることが可能である。例えば、壁面平成部材への固定手段の固定方法としては、ビス等で直接的に固定したり、係合部材等で係合させて固定する等の方法が好適である。
【００１３】
ところで、遊技機島には、島構造を構成する部材として、外壁面を形成する壁面形成部材がある。一般的に、遊技機島の壁面形成部材には、天井壁を形成する天板と、当該島の長手側側壁上部を形成する幕板と、その直下であって遊技機の上方に配されるランプ板と、遊技機の下方に配される腰板と、腰板のさらに下方に配される幅木と、必要に応じて、隣接する遊技機間に配される台間壁等がある。また、この種の遊技機島には、遊技機と腰板との間の位置に、島の外側に張り出した膳板が設けられている。この膳板は、壁面形成部材の一部ともなり得る部分であり、遊技機が載置される領域と、遊技機から払い出された遊技媒体を貯留可能な貯留箱等を載置できる領域を有する。
一方、通常使用される遮蔽板としては、遊技機の高さと同程度のサイズのものが採用される。つまり、遮蔽板は、遊技機島のランプ板と膳板との間に収まるサイズである。
そこで、既存の遊技機島への取り付け容易性の観点から提供される請求項３に記載の発明は、遊技機島は、島構造を構成する部材を有し、当該部材には、遊技機島の外壁面を形成する壁面形成部材があり、固定手段は、隣接する遊技機同士の間の壁面形成部材であって、少なくとも遊技機の設置高さよりも高い位置と、低い位置の双方に固定されることを特徴とする請求項１に記載の遮蔽板の取付構造である。
【００１４】
かかる構成によれば、固定手段は、隣接する遊技機同士の間であって、壁面形成部材における遊技機の設置位置よりも高い位置と低い位置に固定されるため、既存の遊技機島であっても、容易に遮蔽板を取り付けることが可能である。例えば、壁面平成部材への固定手段の固定方法としては、ビス等で直接的に固定したり、係合部材等で係合させて固定する等の方法が好適である。
【００１５】
請求項４に記載の発明は、保持手段は、一定の弾性力を有した弾性部材を備え、遮蔽板は、弾性部材に挟持されていることを特徴とする請求項１〜３のいずれかに記載の遮蔽板の取付構造である。
【００１６】
かかる構成によれば、遮蔽板を、一定の弾性力を有した弾性部材に挟持させて保持させているため、遮蔽板に外力が掛けられたとしても、その基端部の弾性部材が変形するとこで、その外力を逃がすことが可能である。これにより、遮蔽板の基端側が破損等してしまう不具合を防止することができる。
【００１７】
請求項５に記載の発明は、保持手段は、軸部材を有し、遮蔽板は、軸部材に軸支されていることを特徴とする請求項１〜３のいずれかに記載の遮蔽板の取付構造である。
【００１８】
かかる構成によれば、遮蔽板を、軸部材によって軸支して保持させているため、遮蔽板に外力が掛けられたとしても、その軸部材を中心に、当該遮蔽板を揺動させることができる。すなわち、遮蔽板に掛かる外力を、揺動動作によって、逃がすことが可能であるため、より効果的に、遮蔽板の基端側の破損等を防止することができる。
【００１９】
請求項６に記載の発明は、並設された複数の遊技機と、請求項１〜５のいずれかに記載された遮蔽板の取付構造を用いて設置された遮蔽板を備えたことを特徴とする遊技機島である。
【００２０】
本発明の遊技機島は、遮蔽板を、遊技機の並設方向に揺動可能（揺動機能）に固定可能である。すなわち、本発明の遊技機島では、遮蔽板に対して、不意に遊技機の並設方向の外力が作用することがあっても、その外力を逃がす方向に揺動するため、遮蔽板の基端部に掛かる負担を軽減することができる。これにより、遊技者等が移動する際や、作業者等がメンテナンス等の作業を行う場合に、遮蔽板に衝突等することがあったとしても、本発明の揺動機能によって、その衝突等によって生じる外力を緩和できるため、当該遮蔽板の基端側が破損等を生じてしまうことはほぼない。
【発明の効果】
【００２１】
本発明の遮蔽板の取付構造、並びに、遊技機島は、遮蔽板を遊技機の並設方向に揺動させる機能が備えられているため、遮蔽板に予期せぬ外力が作用したとしても、その外力に起因して生じ得る不具合を防止することが可能である。
【図面の簡単な説明】
【００２２】
【図１】本発明の実施形態に係る遊技機島を示す斜視図である。
【図２】図１の遊技機島を示すＡ−Ａ断面図である。
【図３】図１の遮蔽板に注目した斜視図である。
【図４】図１の遮蔽板の取付構造に注目した遮蔽板とそれに関連した部材を示す分解斜視図である。
【図５】固定手段の一部を破断した斜視図である。
【図６】弾性部材を示す断面図である。
【図７】（ａ）は通常の姿勢で設置された遮蔽板を示す断面図であり、（ｂ）は通常の姿勢で設置された遮蔽板に外力が作用した状態を概念的に示す断面図である。
【図８】別の実施形態に係る遊技機島を示す斜視図である。
【図９】図６の遮蔽板に注目した斜視図である。
【図１０】図６の遮蔽板の取付構造に注目した遮蔽板とそれに関連した部材を示す分解斜視図である。
【図１１】固定手段を示す正面図である。
【図１２】連結部を示す正面図である。
【図１３】固定手段と保持手段との位置関係を示す正面図である。
【図１４】（ａ）は通常の姿勢で設置された遮蔽板を示す断面図であり、（ｂ）は通常の姿勢で設置された遮蔽板に外力が作用した状態を概念的に示す断面図である。
【図１５】別の実施形態に係る遮蔽板の取付構造を示す概念図である。
【発明を実施するための形態】
【００２３】
以下に、本発明の実施形態に係る遊技機島について説明する。
本実施形態に係る遊技機島１は、その基本構成は公知のそれと同様であり、複数のぱちんこ機やスロット機等の遊技機３１が群をなして形成されたものである。より具体的には、遊技機島１は、当該島の構成部材たる骨格部材（図示しない）や壁面形成部材３６を有し、それらに遊技機３１や、当該遊技機３１に関連する機器（例えば、遊技媒体（遊技球やメダル等）を貸し出す貸出機など）等が固定されている。そして、本実施形態では、そのような基本構成に加えて、煙草の煙等を遮蔽する遮蔽板２が備えられている。この遮蔽板２は、図１に示すように、遊技機島１の外側に配され、当該遊技機島１の外壁面を形成する壁面形成部材３６に対して固定されている。
【００２４】
ここで、壁面形成部材３６について付言しておくと、壁面形成部材３６は、複数に区分された板によって構成されている。すなわち、壁面形成部材３６には、図１、２に示すように、遊技機島１の天井壁を構成する天板４１と、天板４１の直下であって遊技機島１の長手側（遊技機３１が並設された側）に配された幕板４２と、幕板４２と遊技機３１の間に配されたランプ板４３と、遊技機３１の下方に配された腰板４５と、ランプ板４３と腰板４５の間に配された台間板４６と、腰板４５のさらに下方に配された幅木４７と、遊技機島１の長手方向端部に配された妻板４８とがある。また、本実施形態の遊技機島１には、遊技機３１と腰板４５との間の位置に、当該島３０の外側に張り出した膳板５０が設けられている。この膳板５０は、壁面形成部材の一部ともなり得る部分であり、遊技機３１が載置される領域と、遊技機３１から払い出された遊技媒体を貯留可能な貯留箱等を載置できる領域を有する。
【００２５】
そして、本実施形態では、遮蔽板２を、隣接する遊技機３１間に配された前記台間板４６に取り付けている。具体的には、遊技機島１には、台間板４６に直接的に固定される固定手段５と、その固定手段５に取り付け可能な保持手段６とが設けられ、その保持手段６に対して、遮蔽板２が取り付けられている。
以下に、遮蔽板２と固定手段５と保持手段６のそれぞれについて説明する。
【００２６】
遮蔽板２は、透過性のあるアクリル樹脂を板状に成形したものであり、図３、４に示すように、一部の欠落部を除けば、概ね長方形状を呈している。また、遮蔽板２のサイズは、通常の設置状態を基準に、高さｈが遊技機３１の高さ（約８０〜８２ｃｍ、好ましくは８１ｃｍ）とほぼ同程度で、幅ｗ（台間板４６からの張り出し長さ）が膳板５０の張り出し長さ（約１５〜２０ｃｍ、好ましくは１８ｃｍ）の２倍程度で、厚みｔが３〜６ｍｍ、好ましくは４〜５ｍｍである。そして、遮蔽板２は、高さ方向に沿った辺のうちの一方側の辺近傍に、厚み方向に貫通した複数（本実施形態では高さ方向に沿って異なる位置に４つ）の取付孔２０が設けられている。
【００２７】
固定手段５は、断面形状が「Ｃ」型の溝型鋼（所謂Ｃチャンネル）よりなる固定本体１１と、その固定本体１１に取り付けられる金属製の蓋部１２とを有する。
【００２８】
固定本体１１は、所定の長さ（本実施形態では遮蔽板２の高さとほぼ同一長さ）を有した長尺体であり、図５に示すように、「Ｃ」型の開放部と対向する側の壁（以下、背面壁ともいう）に、当該背面壁の厚み方向に貫通した複数（本実施形態で長手方向に沿って異なる位置に４つ）の固定孔２１が設けられている。
【００２９】
蓋部１２は、固定本体１１の長手方向端部に配されて当該固定本体１１の端部を閉塞するものである。
なお、蓋部１２は、固定本体１１に対して、溶接や接着材等の所定の締結手段を用いて、脱着不能に固定されることが好適である。
【００３０】
保持手段６は、弾性を有した合成ゴムを成形した弾性部材１３と、遮蔽板２の取り付けに寄与する金属製の補助板１５とを有する。
【００３１】
弾性部材１３は、断面形状が概ね「Ｔ」字型の長尺体（固定本体１１と同程度の長さ）であり、固定手段５に装着される装着部２２と、遮蔽板２が挟持される挟持部２３を備えている。すなわち、弾性部材１３は、装着部２２と挟持部２３とを組み合わせて、断面形状が概ね「Ｔ」字型の長尺体を形成している。
【００３２】
装着部２２は、断面形状が長方形状を呈しており、その縦横の長さは前記した固定手段５における固定本体１１の溝内に嵌り込む程度の大きさである。具体的には、装着部２２は、固定本体１１の背面壁の幅方向（横方向）長さｐが約３〜５ｃｍ、好ましくは３．５〜４．５ｃｍであり、前記背面壁の幅方向に直交する方向（縦方向）の長さｑが約１〜２ｃｍである。すなわち、装着部２２は、断面の横方向長さｐが、断面の縦方向長さｑよりも長く、その縦横の長さの比は概ね２：１となっている。
【００３３】
挟持部２３は、装着部２２における、断面を基準とした長手側の面から垂直方向に張り出した部分であり、その断面形状はほぼ長方形状である。そして、本実施形態では、挟持部２３の前記張出部分が、弾性部材１３の長手方向に沿って直線状に延びた２条の突条壁３７により構成されている。すなわち、２条の突条壁３７によって、ほぼ長方形状の断面が形成されている。また、２条の突条壁３７は、互いに一定距離離反するように配されており、両者の間に１条の溝３８が形成されている。すなわち、溝３８は、突条壁３７と同様、弾性部材１３の長手方向に沿った直線状に延びている。また、突条壁３７には、部材厚方向（張り出し方向と直交する方向）に貫通した複数（本実施形態では長手方向に異なる位置に４つ）の接続孔２４が設けられている。
【００３４】
補助板１５は、弾性部材１３と同程度の長さを有した長尺状の板体であり、長手方向に沿って異なる位置に設けられた複数の接続孔２５を有する。この接続孔２５は、挟持部２３の突条壁３７に設けられた各接続孔２４と連通し得る配置にされている。すなわち、補助板１５は、挟持部２３の突条壁３７の側面側に配されて、ネジ等の締結要素を用いて、当該挟持部２３に一体的に固定されるものである。
なお、補助板１５は、挟持部２３の突条壁３７の張り出し長さと同程度の大きさの幅を有している。
【００３５】
続いて、遊技機島１における遮蔽板２の取付構造について説明する。
本実施形態では、前記したように、固定手段５及び保持手段６を介して、遮蔽板２を、遊技機島１の構成部材たる台間板４６に固定している。すなわち、図１に示すように、台間板４６に固定した固定手段５に対して、保持手段６を取り付けた遮蔽板２を取り付けている。
【００３６】
固定手段５に注目すると、固定手段５は、固定本体１１の背面壁に設けられた固定孔２１に、ネジ等の締結要素を挿通して、台間板４６に固定されている。このとき、固定手段５の固定本体１１は、長手方向を鉛直方向に沿わせており、さらに蓋部１２が下方に位置するように設置されている。
【００３７】
一方、保持手段６は、挟持部２３を介して、遮蔽板２に取り付けられている。すなわち、保持手段６は、挟持部２３の溝３８内に遮蔽板２の一辺側を嵌め込み、ネジ等の締結要素を用いて、当該遮蔽板２に一体的に接続されている。より具体的には、保持手段６と遮蔽板２は、弾性部材１３の接続孔２４と遮蔽板２の取付孔２０を連通状態にすると共に、さらにそれらの連通孔と補助板１５の接続孔２５を連通した状態にしている（図示しない）。これにより、図７（ａ）に示すように、遮蔽板２の両平面側に突条壁３７が配され、さらに各突条壁３７の外側に補助板１５が配された状態となる。そして、この状態を維持させるべく、前記連通孔に前記締結要素を挿着して、遮蔽板２と保持手段６を一体的に接続している。
【００３８】
そして、遮蔽板２に接続された保持手段６を、台間板４６に固定した固定手段５に連結させることで、遮蔽板２の台間設置を可能としている。具体的には、遮蔽板２に接続された保持手段６は、図３に示すように、その装着部２２を固定手段５の固定本体１１の溝内に配しつつ、挟持部２３を固定本体１１の溝外に露出させた状態で連結されている。すなわち、遮蔽板２は、保持手段６のみによって保持されており、固定手段５による保持力には依存していない。
なお、本実施形態では、保持手段６の装着部２２が、固定手段５の溝内にスライドし得る構成であるため、遮蔽板２の取り付けが容易である。
【００３９】
次に、本実施形態の遊技機島における機能について説明する。
本実施形態の遊技機島１には、煙草の煙等の拡散を抑制するべく、隣接する遊技空間を遮蔽板２で区分する遮蔽機能が備えられている。すなわち、本実施形態では、図１、図７（ａ）に示すように、遮蔽板２を、台間板４６に対してほぼ直交する方向に張り出した姿勢で固定し、当該遮蔽板２によって、隣接する遊技空間を区分している。これにより、遊技機島１では、例えば、遊技者のうちの１人が煙草を吸う行為を行い、その煙が周辺に漂うような状況が形成されたとしても、その煙を遮蔽板２によって遮蔽することができるため、喫煙者以外の近辺に煙が浮遊してしまうことが抑制される。
【００４０】
また、本実施形態では、弾性部材１３を有した保持手段６を介して、台間板４６に固定したため、外力によって受ける遮蔽板２の負荷を軽減することができる（負荷抑制機能）。すなわち、本実施形態においては、遮蔽板２は、保持手段６における、固定手段５の溝外に露出した位置で保持されているため、遮蔽板２に対して、遊技者や作業者等が衝突して外力が掛けられたとしても、その外力の大半は、弾性部材１３を変形するエネルギーとして消費される。具体的には、本実施形態では、遮蔽板２が、固定手段５の溝外に露出した挟持部２３によって保持されているため、遮蔽板２に作用した外力は、挟持部２３を変形させる。このため、遮蔽板２における負荷は大幅に軽減される。
【００４１】
より詳細に説明すると、台間板４６に固定された遮蔽板２は、通常の姿勢においては、図７（ａ）に示すように、台間板４６からほぼ直交するような姿勢で張り出しているが、遮蔽板２の平面に対して、外力が作用すると、図７（ｂ）に示すように、弾性部材１３の挟持部２３が外力の作用方向に変形して揺動する。つまり、遮蔽板２は、外力に対して大きく抗することなく、揺動動作が可能であるため、固定側の基端部に掛かる負荷を大幅に軽減することができる。したがって、本実施形態では、遮蔽板２の基端部に破損等が起こる可能性が低い。
【００４２】
上記実施形態では、弾性部材１３を有した保持手段６によって、遮蔽板２を保持し、台間板４６において遊技機３１の隣接方向に揺動可能な状態で取り付けた遊技機島１を示したが、本発明はこれに限定されず、遮蔽板２を、軸部材５５を介して揺動可能に固定した遮蔽板の取付構造を採用した遊技機島４０であっても構わない。そして、そのような遮蔽板の取付構造は、例えば以下に示す通りである。
【００４３】
すなわち、本実施形態の遊技機島４０では、図８に示すように、遮蔽板２を、軸部材５５を備えた保持手段５３を介して、台間板４６に固定した固定手段５２に連結している。具体的には、遮蔽板２は、図９に示すように、保持手段５３が取り付けられ、その保持手段５３の軸部材５５を介して、固定手段５２に連結されている。また、本実施形態では、遮蔽板２を所定の姿勢に維持させるべく、付勢手段５６（図１０）が備えられている。
【００４４】
ここで、理解を容易にするため、まず、各部材について詳細に説明する。
遮蔽板２は、上記実施形態とほぼ同一のものであり、取付孔２０の位置のみが異なる。すなわち、取付孔２０は、遮蔽板２の幅方向に沿った辺の近傍であって、遮蔽板２の高さ方向上下それぞれに、２つずつ設けられている。
【００４５】
固定手段５２は、図１０に示すように、板状の固定本体６０と、一対の連結部６１、６２とで構成されている。
固定本体６０は、金属製の長尺体であり、その長手方向に異なる位置に複数（本実施形態では４つ）の固定孔６３が設けられている。
【００４６】
一対の連結部６１、６２は、外観が「Ｌ」字型の金具であり、固定本体６０の所定の位置に溶接等の締結手段を用いて接合されている。すなわち、連結部６１、６２はいずれも、延伸方向の異なる２つの板片が接合された構造であり、一方の板片側を固定本体６０に接合している。つまり、各連結部６１、６２は、固定本体６０に接合された接合側壁６４と、固定本体６０に対して直交方向に張り出した張出側壁６５を有する。そして、２つの連結部６１、６２は、一方の連結部６１が、固定本体６０の長手方向一方の端部に配され、他方の連結部６２が、固定本体６０の長手方向他方の端部に配されている。
【００４７】
また、各連結部６１、６２には、固定本体６０の固定孔６３と連通する貫通孔６６と、後述する軸部材５５が挿通される軸用孔６７が設けられている。そして、各連結部６１、６２においては、貫通孔６６と軸用孔６７が、概ね「Ｌ」字の関係に配されている。すなわち、貫通孔６６は、接合側壁６４に設けられ、軸用孔６７は、張出側壁６５に設けられている。
【００４８】
また、本実施形態では、各連結部６１、６２の張出側壁６５に、付勢手段係合部７０が設けられている。この付勢手段係合部７０は、遮蔽板２の姿勢維持に寄与する付勢手段５６が係合するものである。そして、本実施形態では、この付勢手段係合部７０が、断面形状「コ」字型の溝型部材を２つ有し、その２つの溝型部材を互いに向き合わせて形成している。つまり、付勢手段係合部７０は、図１１に示すように、２つの溝型部材によって囲まれた囲繞空間ｖを有する。そして、この囲繞空間ｖに付勢手段５６が配される。
【００４９】
保持手段５３は、同一のものが２つ用意されており、それぞれが固定手段５２の各連結部６１、６２に連結するものである。そして、本実施形態では、その保持手段５３が、軸部材５５と、遮蔽板２と接続される保持側本体５８とで構成されている。
【００５０】
軸部材５５は、一定の長さを有した直線状の軸であり、保持側本体５８に固定されている。
保持側本体５８は、１枚の平板部７２と、２枚の直交壁７３ａ、７３ｂを有する。そして、保持側本体５８は、図１０、１２に示すように、平板部７２の一方の平面上において、２枚の直交壁７３ａ、７３ｂが、その平面に対して、直交方向に張り出すように設けられている。また、２枚の直交壁７３ａ、７３ｂは、互いの平面が平行となる姿勢で、その両者の間隔が一定（本実施形態では、遮蔽板２の厚みｔと同程度）となる配置にされている。また、各直交壁７３ａ、７３ｂには、接続孔７５が２つずつ設けられている。
一方、平板部７２の他方の平面上には、前記軸部材５５が立設されている。
【００５１】
付勢手段５６は、公知のねじりコイルバネ（所謂トーションバネ）であり、アームの角度が９０〜１３５度のものが採用されている。
【００５２】
続いて、これら各部材を用いた遮蔽板の取付構造について説明する。
本実施形態においても、上記実施形態と同様、遊技機島１の構成部材たる台間板４６に固定手段５２を固定し、その固定手段５２に対して、保持手段５３を取り付けた遮蔽板２を固定している。すなわち、固定手段５２は、固定本体６０の長手方向を鉛直方向に沿わせた姿勢で、台間板４６に固定されている。このとき、固定手段５２は、一方の連結部６１が上方に配され、他方の連結部６２が下方に配されている。
なお、固定手段５２は、前記したように、固定孔６３を有し、固定孔６３にネジ等の締結要素が挿通されて固定されている。
【００５３】
一方、保持手段５３は、直交壁７３ａ、７３ｂを介して、遮蔽板２に取り付けられている。すなわち、保持手段５３は、直交壁７３ａ、７３ｂの間に遮蔽板２の一辺側を嵌め込み、ネジ等の締結要素を用いて、当該遮蔽板２に一体的に接続されている。より具体的には、保持手段５３と遮蔽板２は、直交壁７３ａ、７３ｂの接続孔７５と遮蔽板２の取付孔２０を連通状態にしている（図示しない）。これにより、図１３に示すように、遮蔽板２の両平面側に直交壁７３ａ、７３ｂが配された状態となる。そして、この状態を維持させるべく、前記連通孔に前記締結要素を挿着して、遮蔽板２と保持手段５３を一体的に接続している。
【００５４】
そして、遮蔽板２に接続された保持手段５３を、台間板４６に固定した固定手段５２に連結させることで、遮蔽板２の台間設置を可能としている。具体的には、遮蔽板２に接続された保持手段５３は、図１３に示すように、その軸部材５５を固定手段５２の連結部６１、６２の軸用孔６７内に挿通して連結されている。また同時に、軸部材５５は、その軸線方向中途の位置に付勢手段５６を所定の方法（例えば接着材等）で固定し、固定手段５２の付勢手段係合部７０に係合させている。つまり、保持手段５３は、付勢手段５６の付勢力によって、固定手段５から反力を受け得る位置関係にされている。
なお、本実施形態では、付勢手段５６を好適な位置に配するべく、上部に配された連結部６１側の軸部材５５には、スペーサ８０を挿着している。また、軸部材５５の先端には、脱落防止用のキャップ８１が嵌め込まれている。
【００５５】
このように、本実施形態では、遮蔽板２は、軸部材５５を介して保持されており、固定手段５２に対して、揺動可能に固定されている。
すなわち、台間板４６に固定された遮蔽板２は、通常の姿勢においては、図１４（ａ）に示すように、台間板４６からほぼ直交するような姿勢で張り出しているが、遮蔽板２の平面に対して、外力が作用すると、図１４（ｂ）に示すように、軸部材５５を中心に外力の作用方向に揺動する。つまり、遮蔽板２は、外力に対して大きく抗することなく、揺動動作が可能であるため、固定側の基端部に掛かる負荷を大幅に軽減することができる。つまり、本実施形態においても、上記実施形態と同様の作用効果を期待することができる。
【００５６】
また、上記したいずれの実施形態でも、隣接する遊技機３１同士の間に位置する台間板４６に固定手段５、５２を固定する構成を示したが、本発明はこれに限定されず、台間における遊技機３１の上下の板を用いて、固定手段を固定する構成であっても構わない。例えば、図１５に示すように、ランプ板４３と膳板５０を利用可能な、固定金具８３、８５を利用する方法が挙げられる。
【００５７】
なお、ランプ板４３に固定する固定金具８３は、金具を矩形状に折り曲げて成形されたものであり、ランプ板４３の上端側に引っ掛ける吊り下げ部８６と、遮蔽板２を固定する固定手段５、５２を固定する上部固定部８７を有したものである。また、膳板５０に固定する固定金具８５は、前記同様矩形状に折り曲げて成形されたものであり、膳板５０の前面から嵌め込み可能な嵌め込み部８８と、遮蔽板２を固定する固定手段５、５２を固定する下部固定部８９を有したものである。
【００５８】
上記実施形態では、弾性部材１１として、ゴム製のものを採用したが、本発明はこれに限定されず、弾性を有する所定の樹脂によって成形したものを採用しても構わない。
【符号の説明】
【００５９】
１    遊技機島
２    遮蔽板
５、５２    固定手段
６、５３    保持手段
１１、６０    固定本体
１２    蓋部
１３    弾性部材
１５    補助板
２３    挟持部
３０    遊技機島
３１    遊技機
３６    壁面形成部材
３７    突条壁
３８    溝
４３    ランプ板
４６    台間板
５０    膳板
５５    軸部材
６１    連結部
８３    固定金具
【図１】
2014204893.tif 000003
【図２】
2014204893.tif 000004
【図３】
2014204893.tif 000005
【図４】
2014204893.tif 000006
【図５】
2014204893.tif 000007
【図６】
2014204893.tif 000008
【図７】
2014204893.tif 000009
【図８】
2014204893.tif 000010
【図９】
2014204893.tif 000011
【図１０】
2014204893.tif 000012
【図１１】
2014204893.tif 000013
【図１２】
2014204893.tif 000014
【図１３】
2014204893.tif 000015
【図１４】
2014204893.tif 000016
【図１５】
2014204893.tif 000017